(57)【要約】【課題】  画像の色むらの除去が可能で、消磁コイルの消費電力を低減することができ、ＣＲＴをキャビネットから外すことなく容易に消磁コイルを取り外すことができる消磁コイル保持具及びそれを用いた表示装置を提供する。【解決手段】  嵌合部（３）をベース部（１）の長手方向に沿って開口した開口部（３）とし、保持部（２）をベース部（１）の短手方向に沿って張り出した腕部（７Ａ，７Ｂ）を有するベース部（１）から立設した支柱部を少なくとも含むものとし、嵌合部（６）と保持部（２）とをベース部（１）の長手方向に並設した。また、嵌合部（６）と保持部（２）とを、ベース部（１）の長手方向に沿った中心線（ＣＬ５０）に対して略対称に形成した。また、ベース部（１）を、支柱部（６）が形成された面（１ａ）を外側として長手方向に彎曲して形成した。【選択図】      図１
2005051662.tif 000002
【特許請求の範囲】
【請求項１】
略短冊状のベース部を有し、
該ベース部に、キャビネットに固定するための固定用金具を有する陰極線管の前記固定用金具に嵌合する嵌合部と、前記陰極線管に取り付けられる消磁コイルを保持する保持部とを備えて、前記消磁コイルを前記陰極線管に保持させる消磁コイル保持具において、
前記嵌合部を、前記ベース部の長手方向に沿って開口した開口部とし、
前記保持部を、前記ベース部の短手方向に沿って張り出した腕部を有する、前記ベース部から立設した支柱部を少なくとも含んで成るものとし、
前記嵌合部と前記保持部とを前記ベース部の前記長手方向に並設して成ることを特徴とする消磁コイル保持具。
【請求項２】
前記嵌合部と前記保持部とを、前記ベース部の前記長手方向に沿った中心線に対して略対称となるように形成して成ることを特徴とする請求項１記載の消磁コイル保持具。
【請求項３】
前記ベース部を、前記支柱部が形成された面を外側として前記長手方向に彎曲するように形成して成ることを特徴とする請求項１または請求項２に記載の消磁コイル保持具。
【請求項４】
キャビネットと、
固定用金具を有し該固定用金具を介して前記キャビネットに固定された陰極線管と、
該陰極線管の帯磁を除去する消磁コイルと、
前記陰極線管に装着され前記消磁コイルを保持する消磁コイル保持具とを備えた表示装置において、
前記消磁コイル保持具を請求項１乃至請求項３のいずれか１項に記載の消磁コイル保持具としたことを特徴とする表示装置。
【発明の詳細な説明】
【技術分野】
【０００１】
本発明は、陰極線管（ＣＲＴ）に消磁コイルを保持させる消磁コイル保持具及びそれを用いた表示装置に関する。
【背景技術】
【０００２】
ＣＲＴを用いた画像表示装置（以下、表示装置と記載する場合がある）においては、地磁気等の外部磁界によるＣＲＴのシャドウマスクの帯磁を除去する必要がある。それは、帯磁により画面に色むらを生じるからである。
この帯磁を除去するために、ＣＲＴの外側に消磁コイルを保持具により取り付け、この消磁コイルに減衰交番電流を流してシャドウマスクを消磁するようにしている。
【０００３】
従来の保持具の一例として、特許文献１に記載された保持具（以下、保持具Ａと称する）がある。
この保持具Ａは、ＣＲＴの四隅に設けられた鍔状の取り付け金具と嵌合するスリット部と、このスリット部に嵌合した取り付け金具面と対向する位置に設けられた消磁コイルと係合するコイル保持部とを有するものである。
【０００４】
また、他の例として、特許文献２に記載された保持具（以下、保持具Ｂと称する）がある。
この保持具Ｂは、ＣＲＴの取り付け金具を挟持する爪と、折り曲げられることで消磁コイルを保持する折り曲げ部とを備え、この保持具とＣＲＴとをＣＲＴを固定するキャビネットにねじ止め（共締め）した後、消磁コイルを包むように折り曲げ部を折り曲げてこのコイルを保持するものである。
【特許文献１】特開昭６０−３５６８４号公報
【特許文献２】特開２００１−２８５８８７号公報
【発明の開示】
【発明が解決しようとする課題】
【０００５】
ところで、近年、画像表示装置にはより色むらの少ない高品位な画像表示が求められいる。一方、省エネルギの観点から、消費電力をできるだけ少なくすることも求められている。
一般的に、ＣＲＴに対する消磁コイルの取り付け位置は、ＣＲＴの画面側（シャドウマスクに近い側）にある程消磁効果が高い。従って、要求されるような高品位な画像を表示させるためには、できるだけシャドウマスクに近い位置に消磁コイルを配置して消磁効果を高くしなければならない。また、消費電力を少なくするために、この消磁効果が高い位置に消磁コイルを取り付けることは有効である。
【０００６】
このように、消磁コイルをＣＲＴの前方に固定する場合においても、ＣＲＴをキャビネットにねじで固定する際に、ねじと保持具とが干渉しないことが必要である。これは、近年の表示装置の省スペース化要求に伴って取り付け金具のねじ孔位置が、よりＣＲＴに接近した位置になっていることから満足すべき重要な課題となっている。
【０００７】
また、ＣＲＴをキャビネットに取り付ける前に消磁コイルがＣＲＴに保持できる構成であると、様々な生産形態に対応が可能となり好ましい。さらに、組立後に、ＣＲＴを外すことなく消磁コイルのみを容易に取り外せる構成であると、セービス時等の作業性が向上するので大変好ましい。
【０００８】
しかしながら、保持具Ａでは、取り付け金具に対向する位置に消磁コイル保持部があるので、消磁コイルの位置をより前方の金具位置近傍あるいはさらにその前方に配置することができない。そのため、画像の色むら除去に限界があり、また、消磁コイルの消費電力低減にも限界があるという問題があった。
【０００９】
また、保持具Ａは、ＣＲＴを外すことなく消磁コイルを外すことは可能ではあるが、コイルを外す際には消磁コイルを押圧している押圧片を広げる方向に持ち上げつつコイルを引き上げなければならず、難しい作業となっていた。
【００１０】
一方、保持具Ｂは、消磁コイルを取り付け金具近傍に配置することはできるものの、それ以上前方に配置することができないものであった。そのため、画像の色むら除去にやはり限界があり、また、消磁コイルの消費電力低減にも限界があるという問題があった。
さらに、ＣＲＴをキャビネットに固定する前に消磁コイルをＣＲＴに保持させることができないので、生産形態が限定されるものであった。
【００１１】
そこで、本発明が解決しようとする課題は、表示装置の画像の色むらの更なる除去が可能で、消磁コイルの消費電力を低減することができ、ＣＲＴをキャビネットから外すことなく容易に消磁コイルを取り外すことができる消磁コイル保持具及びそれを用いた表示装置を提供することにある。
【課題を解決するための手段】
【００１２】
上記の課題を解決するために、本願発明は手段として次の構成を有する。
即ち、請求項１に係る発明は、略短冊状のベース部（１）を有し、該ベース部（１）に、キャビネット（２２）に固定するための固定用金具（２０Ａ）を有する陰極線管（２０）の前記固定用金具（２０Ａ）に嵌合する嵌合部（３）と、前記陰極線管（２０）に取り付けられる消磁コイル（２１）を保持する保持部（２）とを備えて、前記消磁コイル（２１）を前記陰極線管（２０）に保持させる消磁コイル保持具において、
前記嵌合部（３）を、前記ベース部（１）の長手方向に沿って開口した開口部（３）とし、前記保持部（２）を、前記ベース部（１）の短手方向に沿って張り出した腕部（７Ａ，７Ｂ）を有する、前記ベース部（１）から立設した支柱部を少なくとも含んで成るものとし、前記嵌合部（６）と前記保持部（２）とを前記ベース部（１）の前記長手方向に並設して成ることを特徴とする消磁コイル保持具（５０）である。
【００１３】
また、請求項２に係る発明は、前記嵌合部（６）と前記保持部（２）とを、前記ベース部（１）の前記長手方向に沿った中心線（ＣＬ５０）に対して略対称となるように形成して成ることを特徴とする請求項１記載の消磁コイル保持具（５０）である。
【００１４】
また、請求項３に係る発明は、前記ベース部（１）を、前記支柱部（６）が形成された面（１ａ）を外側として前記長手方向に彎曲するように形成して成ることを特徴とする請求項１乃至請求項２に記載の消磁コイル保持具である。
【００１５】
また、請求項４に係る発明は、キャビネット（２２）と、固定用金具（２０Ａ）を有し該固定用金具（２０Ａ）を介して前記キャビネット（２２）に固定された陰極線管（２０）と、該陰極線管（２０）の帯磁を除去する消磁コイル（２１）と、前記陰極線管（２０）に装着され前記消磁コイル（２１）を保持する消磁コイル保持具とを備えた表示装置において、
前記消磁コイル保持具を請求項１乃至請求項３のいずれか１項に記載の消磁コイル保持具（５０）としたことを特徴とする表示装置（５１）である。
【発明の効果】
【００１６】
本発明によれば、表示装置の画像の色むらを除去でき、消磁コイルの消費電力を低減でき、ＣＲＴをキャビネットから外すことなく容易に消磁コイルを取り外すことができるという効果を奏する。
【発明を実施するための最良の形態】
【００１７】
本発明を実施するための最良の形態を、図１〜図６を用いて説明する。
図１は、本発明の消磁コイル保持具の実施例を消磁コイルの保持に適用した一例を示す斜視図である。
図２は、本発明の消磁コイル保持具の実施例を示す３面図である。
図３は、本発明の消磁コイル保持具の実施例を示す斜視図である。
図４は、本発明の表示装置の実施例において保持した消磁コイルについて説明する図である。
図５は、本発明の消磁コイル保持具の実施例の効果を説明する図である。
図６は、本発明の消磁コイル保持具の実施例の変形例を説明する図である。
【００１８】
まず、図２，図３を主に用いて実施例の消磁コイル保持具の形態について説明する。図２（Ａ）は平面図、図２（Ｂ）は正面図、図３（Ｃ）は矢視Ｓ図である。
この消磁コイル保持具５０は、ＣＲＴの四隅の角の曲率に対応して弓状に形成された略短冊状のベース部１と、このベース部１の一方の端部側の外面１ａに一体的に突出して形成された消磁コイル保持部２とを有しており、熱可塑性樹脂を射出成形することで形成される。材料としては周知の熱可塑性樹脂を用いることができ、特にＰＡ（ポリアミド），ＰＰ（ポリプロピレン）が好適である。
【００１９】
ベース部１には、長手方向の中心線ＣＬ５０をはさむように一対の矩形開口部が、ＣＲＴの取り付け金具２１と嵌合する金具嵌合部３Ａ，３Ｂとして形成されている。
この金具嵌合部３Ａ，３Ｂの内側の辺３Ａａ，３Ｂａには、その辺に対向する辺３Ａｂ，３Ｂｂに向けて突出形成された可撓性を有する突出片４がそれぞれ一対ずつ形成されている。
また、この突出片４の先端部と金具嵌合部３Ａ，３Ｂの外側の辺３Ａｂ，３Ｂｂとの間隔ｔ３は、ＣＲＴの取り付け金具２０Ａの厚さとほぼ同じとなるように設定されている。ただし、取り付け金具２０Ａの厚さはＣＲＴにより異なるので、この消磁コイル保持具５０に汎用性が必要な場合は、最も厚い取り付け金具が嵌合できるように設定することができる。
【００２０】
金具嵌合部３Ａ，３Ｂの長手方向の幅Ｌは、ここに嵌合する取り付け金具２０Ａの根元部分の幅とほぼ同じとなるように設定されている。この取り付け金具の根元部分の幅はＣＲＴにより異なるので、同様に汎用性が必要な場合は、最も広い取り付け金具が嵌合できるように設定することができる。
【００２１】
また、金具嵌合部３Ａ，３Ｂの短手方向の一対の辺３Ａｃ，３Ａｄ，３Ｂｃ，３Ｂｄにおける、それぞれが接する外側の辺３Ａｂ，３Ｂｂ側には、凹部５が形成されている。この凹部５の幅も間隔ｔ３と同じ長さとなるように設定されている。
【００２２】
消磁コイル保持部２は、長手方向に沿う中心線ＣＬ５０上に外側方向に向けて立設した支柱部６と、この支柱部６の先端部近傍から、ベース部１の短手方向に沿うように中心線ＣＬ５０から離れる両方向に張り出した円弧状の一対の腕部７Ａ，７Ｂとを有している。ベース部１の腕部７Ａ，７Ｂに対応した部分は開口しているが、この開口部は、保持具５０を射出成形する際に金型が腕部７Ａ，７Ｂの内側の面７Ａａ，７Ｂｂを形成するために入り込む開口部である。
【００２３】
この腕部７Ａ，７Ｂの内側の面７Ａａ，７Ｂａとベース部１の外面１ａ（開口部分は外面１ａの想像面）との間の空間である係止部７Ｃ（７ＣＡ，７ＣＢ）に消磁コイル２１が収まるようになっている。消磁コイル２１は、ＣＲＴ２０が装着される表示装置によって異なる径のものが使用されるので、この消磁コイル保持具５０を汎用的に用いる場合は、ここに収める消磁コイル２１の内、最も径の太いものが収まるように、腕部７Ａの形状が設定されている。
【００２４】
また、係止部７Ｃに収めた消磁コイル２１が容易に抜けないように、外面１ａには突部８が設けられていおり、係止部７Ｃに収める消磁コイルの内、最も径の小さいものが抜けないように腕部７Ａ，７Ｂと突部８との最短間隔ｔ２が設定されている。
腕部７Ａ，７Ｂは必ずしも円弧状に形成されなくてもよい。係止部７Ｃに消磁コイル２１が収まって係止できる形状であればよい。
【００２５】
次に、この保持具５０がＣＲＴ２０に取り付けられ、消磁コイル２１を保持した形態について詳述する。
図４は、上述した実施例の消磁コイル保持具５０を用いた表示装置５１において、ＣＲＴ２０に消磁コイル２１を取り付けた状態をＣＲＴ２０のネック２０Ｂの側から見た図である。ＣＲＴ２０は、キャビネット２２に取り付け金具２１Ａを介して固定ねじ２３により取り付けられている。
【００２６】
消磁コイル２１は、ＣＲＴ２０の四隅Ａ〜Ｄ部において消磁コイル保持具５０の消磁コイル保持部２により保持されて概ね８の字状に取り付けられる。
上述したような、表示装置の省スペース化は、特に横幅を小さくすることで実現される。
従って、キャビネット２２とＣＲＴ２０との横方向の隙間Ｄは極めて狭く、この隙間Ｄに突出した消磁コイル保持部２を配置するような向きに消磁コイル保持具５０を装着することができない。
【００２７】
しかしながら、消磁コイル保持具５０は、上述したように、長手方向の中心線ＣＬ５０に対して対象な形状であるので、向きを反転させて、図４に示すように、ＣＲＴ２０の縦方向中心線ＣＬｖに対して消磁コイル保持部２が対向するように配置し、消磁コイル２１をＣＲＴ２０の前方の同じ位置（管軸方向の同じ位置）に取り付けることが可能となっている。
これについて、四隅の内のＡ部とＢ部とについて、消磁コイル保持具５０により消磁コイル２１をＣＲＴ３−に取り付けた状態を斜視図（図１）により説明する。
【００２８】
図１（Ａ）は、Ａ部の斜視図であり、図１（Ｂ）は、Ｂ部の斜視図である。Ｃ部はＡ部と同様であり、Ｄ部はＢ部と同様である。また、図１（Ｂ）において、取り付け金具２０Ａが金具嵌合部３（３Ａ）に嵌合している状態の理解を容易にするため、消磁コイル２１の記載の一部を省略し、外形のみを一点鎖線で示している。
これらの図からわかるように、Ａ部（またはＣ部）に取り付ける場合は、取り付け金具２０Ａを金具嵌合部３Ｂに嵌合させ、消磁コイル２１を消磁コイル保持具５０の係止部７ＣＢにて保持させる。
一方、Ｂ部（またはＤ部）に取り付ける場合は、取り付け金具２０Ａを金具嵌合部３Ａに嵌合させ、消磁コイル２１を消磁コイル保持具５０の係止部７ＣＡにて保持させる。
このように嵌合及び保持させることより、キャビネット２２とＣＲＴ２０との横方向の隙間Ｄが狭くても、１種類の消磁コイル保持具５０で消磁コイル２１の４ヶ所での保持が可能となる。
【００２９】
この消磁コイル保持具５０は、保持した消磁コイル２１を外す際にも極めて容易に外すことができる。
例えば、係止部７ＣＡに消磁コイル２１が保持されている場合に、空いている係止部７ＣＢ側の腕部７Ｂを指などで押し込むと、支柱部６を支点にして腕部７Ａが開く方向に変形して消磁コイル２１がそのまま外せるのである（図５参照）。
このような腕部７Ｂを押し込む作業は、引き上げる作業よりもはるかに容易に行うことができるので、サービス時等での外し作業効率が大幅に向上する。
【００３０】
また、取り付け金具２０Ａを金具嵌合部３Ａに嵌合させ、消磁コイル２１をその取り付け金具２０ＡよりもＣＲＴ２０の前方側になるように係止部７ＣＡに保持させることもできる。
この場合は、係止部７ＣＡへの挿入がＣＲＴ２０の前面側からとなるが、消磁コイル２１を、取り付け金具２０Ａ近傍以外においてその金具よりもさらに前方に配置することができる。
【００３１】
以上、詳述した実施例によれば、消磁コイル２１をＣＲＴ２０の取り付け金具２０Ａ近傍に配置させることができ、色むらのない高品位な画質を得ると共に、消磁コイル２１の消費電力を低減することができる。
また、ＣＲＴを外すことなく、極めて容易に消磁コイルを外すことができるので、サービス性にも優れるものである。
【００３２】
さて、本発明の実施例は、上述した構成に限定されるものではなく、本発明の要旨を逸脱しない範囲において変形してもよいものである。
消磁コイル保持具５０はＣＲＴへの非装着時に弓状でなくてもよく、弾力性を有し、ＣＲＴ２０に装着する際にその形状に沿うように変形可能なものでもよい。
また、いくつかの他の変形例を図６を用いて説明する。この図６は、変形例を模式的に示した斜視図である。
（１）金具嵌合部３は、ベース部１の概ね中心線ＣＬ上に一ヶ所設けたものでもよい（図６（Ａ）参照）。
（２）消磁コイル保持部２をベース部１の両端側に一対設けたものでもよい。
これは、ＣＲＴ２０とキャビネット２２との隙間に比較的余裕がある場合に用いることができる。金具嵌合部３Ａ，３Ｂは、上述の（１）のように一ヶ所でもよい。
（３）消磁コイル保持部２をベース部１に設けた金具嵌合部３の中心線ＣＬ３に対して一方の側に中心線ＣＬ３からＬ３だけ離して一対設けたものでもよい。
これは、ＣＲＴ２０とキャビネット２２との隙間に比較的余裕がある場合に用いることができる。そして、取り付け金具２０Ａ近傍以外において、消磁コイル２１を取り付け金具２０Ａよりもさらに距離Ｌ３だけ前方に配置することができるものである。
【図面の簡単な説明】
【００３３】
【図１】本発明の消磁コイル保持具の実施例を消磁コイルの保持に適用した一例を示す斜視図である。
【図２】本発明の消磁コイル保持具の実施例を示す３面図である。
【図３】本発明の消磁コイル保持具の実施例を示す斜視図である。
【図４】本発明の消磁コイル保持具の実施例により保持した消磁コイルについて説明する図である。
【図５】本発明の消磁コイル保持具の実施例の効果を説明する図である。
【図６】本発明の消磁コイル保持具の実施例の変形例を説明する図である。
【符号の説明】
【００３４】
１  ベース部
１ａ  外面
１ｂ  開口部
２  消磁コイル保持部
３Ａ，３Ｂ  金具嵌合部（矩形開口部）
３Ａａ，３Ａｂ，３Ｂａ，３Ｂｂ  辺
４  突出片
５  凹部
６  支柱部
７Ａ，７Ｂ  腕部
７Ｃ（７ＣＡ，７ＣＢ）  係止部
２０  ＣＲＴ
２０Ａ  取り付け金具
２０Ｂ  ネック
２０Ｃ  ねじ孔
２１  消磁コイル
２２  キャビネット
２３  固定ねじ
５０  消磁コイル保持具
５１  表示装置
ｔ１，ｔ２  間隔
ＣＬ５０，ＣＬｖ，ＣＬ３  中心線
Ｄ  隙間
Ｌ  幅
【図１】
2005051662.tif 000003
【図２】
2005051662.tif 000004
【図３】
2005051662.tif 000005
【図４】
2005051662.tif 000006
【図５】
2005051662.tif 000007
【図６】
2005051662.tif 000008